(57)【要約】  【課題】  移動機構の精度が低くても、正確なプリセット撮影ができる移動機構付き撮像装置を提供する。  【解決手段】  プリセット位置登録時は、プリセット位置登録部３０が、撮像部１２のプリセット位置を登録する。そして、トリミング目印登録部４２が、プリセット位置を登録するときの撮影画像から切り出されるトリミング領域を示す目印になる部分的画像情報であるトリミング目印情報を登録する。プリセット位置復帰時は、プリセット位置復帰制御部３４が、移動機構部２２を制御して、登録されたプリセット位置へと撮像手段１２を移動させる。そして、トリミング調整部４６が、トリミング目印情報が再現されるようにトリミング領域を調整する。調整されたトリミング領域の画像が、プリセット位置のプリセット画像として出力される。【選択図】  図１
2005303806.tif 000002
【特許請求の範囲】
【請求項１】
撮影画像を生成する撮像手段と、
前記撮像手段を移動させる移動機構と、
前記撮影画像からトリミング領域の画像を切り出す切出手段と、
前記撮像手段のプリセット位置を登録するプリセット位置登録手段と、
前記プリセット位置を登録するときの前記撮影画像中の前記トリミング領域を示す目印であるトリミング目印情報を登録するトリミング目印情報登録手段と、
前記移動機構を制御して、前記プリセット位置登録手段により登録されたプリセット位置へと前記撮像手段を移動させるプリセット位置移動制御手段と、
前記プリセット位置での撮影画像から前記トリミング領域が切り出されるときに、前記トリミング目印情報が再現されるように前記トリミング領域を調整するトリミング領域調整手段と、
前記トリミング調整手段により調整された前記トリミング領域の画像を前記プリセット位置のプリセット画像として出力する出力手段と、
を備えたことを特徴とする移動機構付き撮像装置。
【請求項２】
前記トリミング目印情報登録手段は、前記撮影画像中のトリミング領域内の所定の基準部分の情報を抽出し、抽出した前記基準部分の情報を前記トリミング目印情報としてトリミング目印情報記憶手段に記憶させることを特徴とする請求項１に記載の移動機構付き撮像装置。
【請求項３】
前記トリミング目印情報登録手段は、前記基準部分の情報として、前記トリミング領域の隅部の画像情報を抽出することを特徴とする請求項２に記載の移動機構付き撮像装置。
【請求項４】
前記トリミング目印情報登録手段は、前記トリミング領域内の特徴部分を抽出し、抽出した前記特徴部分の情報をトリミング目印情報としてトリミング目印情報記憶手段に記憶させることを特徴とする請求項１に記載の移動機構付き撮像装置。
【請求項５】
前記トリミング目印情報登録手段は、前記特徴部分の情報として、前記撮影画像内の輪郭情報を抽出することを特徴とする請求項４に記載の移動機構付き撮像装置。
【請求項６】
撮像手段のプリセット位置を登録するステップと、
前記プリセット位置を登録するときの撮影画像から切り出されるトリミング領域を示す目印情報であるトリミング目印情報を登録するステップと、
前記プリセット位置での撮影のために、前記撮像手段を移動する移動機構を制御して、登録されたプリセット位置へと前記撮像手段を移動させるステップと、
前記撮像手段により前記プリセット位置で撮像された撮影画像から、前記トリミング目印情報が再現されるように前記トリミング領域を切り出すステップと、
切り出された前記トリミング領域の画像を前記プリセット位置のプリセット画像として出力するステップと、
を備えたことを特徴とする撮像方法。
【請求項７】
撮像手段のプリセット位置を登録するステップと、
前記プリセット位置を登録するときの撮影画像から切り出されるトリミング領域を示す目印情報であるトリミング目印情報を登録するステップと、
前記プリセット位置での撮影のために、前記撮像手段を移動する移動機構を制御して、登録されたプリセット位置へと前記撮像手段を移動させるステップと、
前記撮像手段により前記プリセット位置で撮像された撮影画像から、前記トリミング目印情報が再現されるように前記トリミング領域を切り出すステップと、
切り出された前記トリミング領域の画像を前記プリセット位置のプリセット画像として出力するステップと、
をコンピュータに実行させることを特徴とするプログラム。
【発明の詳細な説明】
【技術分野】
【０００１】
本発明は、旋回等の移動機構を備えた撮像装置に関し、特に、プリセット位置での撮影機能を備えた撮像装置に関するものである。
【背景技術】
【０００２】
従来の移動機構付き撮像装置としては、典型的には、旋回可能な監視カメラがあげられる。例えば、特許文献１は、ネットワーク経由で遠隔操作される旋回監視カメラ装置を備えた遠隔映像監視システムを開示している。
【０００３】
旋回式監視カメラには、プリセット撮影機能が備えられることがある。この場合、カメラ旋回制御装置に、カメラのプリセット位置が登録される。旋回制御装置は、登録されたプリセット位置を読み出し、プリセット位置へとカメラを旋回させる。
【０００４】
プリセット撮影では、プリセット位置でのカメラの位置精度が要求される。監視カメラの普及に伴って撮影倍率が増大する傾向にあり、そのために、プリセット撮影時の位置精度の重要性がさらに高まっている。
【０００５】
従来、プリセット撮影のカメラ位置精度を向上するためには、旋回機構の精度向上が図られている。例えば、ギアのバックラッシによる位置誤差を低減するために、バックラッシ除去装置が設けられる。また、エンコーダ等が備えられ、位置のフィードバック制御が行われている。
【特許文献１】特開２００１−３０９３５５号公報（第４−５ページ、図１）
【発明の開示】
【発明が解決しようとする課題】
【０００６】
しかしながら、従来の移動機構付き撮像装置においては、上記のように、プリセット撮影時の停止位置精度を向上するために移動機構が高精度化されており、そのために移動機構が複雑化している。
【０００７】
本発明は、上記背景の下でなされたものであり、移動機構を高精度化せずとも、正確なプリセット撮影が可能な撮像装置を提供することにある。
【課題を解決するための手段】
【０００８】
本発明の移動機構付き撮像装置は、撮影画像を生成する撮像手段と、前記撮像手段を移動させる移動機構と、前記撮影画像からトリミング領域の画像を切り出す切出手段と、前記撮像手段のプリセット位置を登録するプリセット位置登録手段と、前記プリセット位置を登録するときの前記撮影画像中の前記トリミング領域を示す目印であるトリミング目印情報を登録するトリミング目印情報登録手段と、前記移動機構を制御して、前記プリセット位置登録手段により登録されたプリセット位置へと前記撮像手段を移動させるプリセット位置移動制御手段と、前記プリセット位置での撮影画像から前記トリミング領域が切り出されるときに、前記トリミング目印情報が再現されるように前記トリミング領域を調整するトリミング領域調整手段と、前記トリミング調整手段による調整を受けた前記トリミング領域の画像を前記プリセット位置のプリセット画像として出力する出力手段とを備えている。
【０００９】
この構成により、プリセット位置登録時に、トリミング領域を表すトリミング目印情報が登録される。そして、プリセット位置復帰時には、撮影画像から、トリミング目印情報が再現されるようにトリミング領域が切り出され、この領域画像がプリセット位置のプリセット画像として出力される。これにより、撮影画像の撮影範囲がずれても、プリセット画像がカバーする被写体範囲は高い精度で同じになり、結果的に移動機構の位置ずれの補正効果が得られる。したがって、移動機構の精度が低くても、正確なプリセット撮影ができる。
【００１０】
また、本発明の移動機構付き撮像装置において、前記トリミング目印情報登録手段は、前記撮影画像中のトリミング領域内の所定の基準部分の情報を抽出し、抽出した前記基準部分の情報を前記トリミング目印情報としてトリミング目印情報記憶手段に記憶させる。この構成により、適当なトリミング目印情報を使用して、正確なプリセット撮影ができる。
【００１１】
さらに、本発明の移動機構付き撮像装置において、前記トリミング目印情報登録手段は、前記基準部分の情報として、前記トリミング領域の隅部の画像情報を抽出する。この構成により、適当なトリミング目印情報を使用して、正確なプリセット撮影ができる。
【００１２】
また、本発明の移動機構付き撮像装置において、前記トリミング目印情報登録手段は、前記トリミング領域内の特徴部分を抽出し、抽出した前記特徴部分の情報をトリミング目印情報としてトリミング目印情報記憶手段に記憶させる。この構成により、適当なトリミング目印情報を使用して、正確なプリセット撮影ができる。
【００１３】
さらに、本発明の移動機構付き撮像装置において、前記トリミング目印情報登録手段は、前記特徴部分の情報として、前記撮影画像内の輪郭情報を抽出する。この構成により、適当なトリミング目印情報を使用して、正確なプリセット撮影ができる。
【００１４】
また、本発明の撮影方法は、撮像手段のプリセット位置を登録するステップと、プリセット位置を登録するときの撮影画像から切り出されるトリミング領域を示す目印情報であるトリミング目印情報を登録するステップと、前記プリセット位置での撮影のために、前記撮像手段を移動する移動機構を制御して、登録されたプリセット位置へと前記撮像手段を移動させるステップと、前記撮像手段により前記プリセット位置で撮像された撮影画像から、前記トリミング目印情報が再現されるように前記トリミング領域を切り出すステップと、切り出された前記トリミング領域の画像を前記プリセット位置のプリセット画像として出力するステップとを備えている。この構成によっても、上述の本発明の利点が得られる。
【００１５】
また、本発明のプログラムは、撮像手段のプリセット位置を登録するステップと、プリセット位置を登録するときの撮影画像から切り出されるトリミング領域を示す目印情報であるトリミング目印情報を登録するステップと、前記プリセット位置での撮影のために、前記撮像手段を移動する移動機構を制御して、登録されたプリセット位置へと前記撮像手段を移動させるステップと、前記撮像手段により前記プリセット位置で撮像された撮影画像から、前記トリミング目印情報が再現されるように前記トリミング領域を切り出すステップと、切り出された前記トリミング領域の画像を前記プリセット位置のプリセット画像として出力するステップとをコンピュータに実行させる。この構成によっても、上述の本発明の利点が得られる。
【発明の効果】
【００１６】
本発明は、上述したようにトリミング目印情報を登録し、登録されたトリミング目印情報に基づいて撮影画像からプリセット画像を切り出すので、撮影画像の撮影範囲がずれていても、プリセット画像がカバーする被写体範囲は高い精度で同じになり、したがって、移動機構の精度が低くても、正確なプリセット撮影ができるという効果を有する移動機構付き撮影装置を提供することができるものである。
【発明を実施するための最良の形態】
【００１７】
以下、本発明の実施の形態の移動機構付き撮像装置について、図面を用いて説明する。
【００１８】
図１は、本発明の実施の形態の移動機構付き撮像装置を示す機能ブロック図である。本実施の形態では、移動機構付き撮像装置が、旋回式監視カメラ装置１０である。
【００１９】
図１において、旋回式カメラ装置１０は、まず、撮像部１２を備えており、撮像部１２は、レンズと、ＣＣＤ等の撮像素子とを備え、撮影画像データを生成する。撮影画像データは切出部１４に入力され、切出部１４は、撮影画像データから所定のトリミングサイズのトリミング領域を切り出す。そして、切り出されたトリミング領域の画像が、出力部１６から出力され、モニタ１８に表示される。このように、本実施の形態では、モニタ上の画像が、撮影画像から切り出された画像であり、撮影画像より小さく設定されている。また、図１に示すように、旋回式カメラ装置１０は、入力装置２０を備えており、オペレータの各種の指示が入力装置２０から入力される。
【００２０】
また、旋回式カメラ装置１０は移動機構部２２を備えている。移動機構部２２は、パンモータ２４およびチルトモータ２６を備え、撮像部１２をパン方向およびチルト方向に旋回させる。パンモータ２４およびチルトモータ２６の回転運動は、例えば、歯車によって撮像部１２の旋回運動に変換される。
【００２１】
移動機構部２２は、機械的座標制御部２８によって制御される。機械的座標制御部２８は、パンモータ２４およびチルトモータ２６を動作させることで、撮像部１２を移動させ、撮像部１２の位置を制御する。撮像部１２の位置は、本実施の形態では、パン方向およびチルト方向の角度座標で表される。
【００２２】
機械的座標制御部２８は、プリセット機能を実現するために、プリセット位置登録部３０、プリセット位置記憶部３２およびプリセット位置復帰制御部３４を有する。
【００２３】
プリセット位置登録部３０は、撮像部１２のプリセット位置を登録する。例えば、ユーザにより入力装置２０が操作され、撮像部１２が所望の位置へ移動される。そして、ユーザにより、プリセット位置登録の指示が入力装置２０へ入力される。この入力操作が受け付けられたときに、撮像部１２の位置がプリセット位置として登録される。プリセット位置は、プリセット位置記憶部３２に記憶される。なお、複数のプリセット位置が登録されてもよい。
【００２４】
プリセット位置復帰制御部３４は、移動機構部２２を制御して、プリセット位置登録部３０により登録されたプリセット位置へと撮像部１２を移動させる。例えば、ユーザにより、プリセット位置復帰の指示が入力装置２０へ入力されると、プリセット位置復帰制御部３４は、プリセット位置記憶部３２からプリセット位置を読み出し、読み出したプリセット位置へと撮像部１２を移動させる。
【００２５】
なお、本実施の形態では、移動機構部２２は、適当な位置精度を有していればよく、位置精度が比較的粗くてもよい。例えば、バックラッシ除去装置が設けられていなくてもよい。また、エンコーダを使ったフィードバック制御の構成が設けられなくてもよい。
【００２６】
次に、図１に示されるように、本実施の形態の特徴的構成として、旋回式監視カメラ装置１０は、プリセットに関する画像処理を行うためのプリセット画像処理部４０を有している。プリセット画像処理部４０は、機械的座標制御部２８と共に、カメラ全体を制御する上位の制御部（図示せず）により制御されている。そして、機械的座標制御部２８がプリセット位置登録およびプリセット位置復帰の動作を行うときは、撮影画像が撮像部１２からプリセット処理部４０を経由して切出部１４に送られる。
【００２７】
プリセット画像処理部４０は、トリミング目印登録部４２、トリミング目印記憶部４４およびトリミング調整部４６を有する。
【００２８】
トリミング目印登録部４２は、プリセット位置登録部３０がプリセット位置を登録するときに、トリミング目印情報をトリミング目印記憶部４４に登録する。トリミング目印情報とは、プリセット位置登録時の撮影画像中のトリミング領域を示す目印になる部分的画像情報であり、撮影画像から画像処理によって抽出され、認識される。
【００２９】
トリミング調整部４６は、プリセット位置復帰動作時に、プリセット位置で撮像された撮影画像に対して画像処理を行い、そして、切出部１４を制御し、トリミング目印情報が再現されるようにトリミング領域を調整する。ここでは、トリミング位置が調整される。トリミング位置と共に画角が調整されてもよい。
【００３０】
より詳細には、撮影画像がトリミング目印情報と比較され、トリミング目印情報と一致する部分が検出される。検出部分が、プリセット位置登録時のトリミング領域中での目印と同じ場所に位置するように、トリミング位置が決定され、決定されたトリミング位置が切出部１４に指示される。このようにして、トリミング目印情報の位置が再現されるようにトリミング領域が調整される。切り出された画像は、プリセット画像として、他の画像と同様に出力部１６からモニタへと出力される。
【００３１】
図２〜図４は、本実施の形態の旋回式監視カメラ装置１０の動作例を示している。図２に示すように、この例では、撮像素子がＣＣＤである。そして、撮影画像５０からトリミング領域が切り出されるので、ＣＣＤの撮影範囲５２よりも、モニタ上の画面範囲５１が小さく設定されている（斜線部が切除されている）。
【００３２】
図３に示すように、プリセット位置登録時は、画像処理が行われ、撮影画像中のトリミング領域の画像からマーカー５４が抽出される。トリミング領域は、図３の例では、撮影画像の中央に設定されている。マーカー５４は本実施の形態のトリミング目印情報に相当する。そして、この例では、マーカー５４は、トリミング領域の４隅および中央に位置する所定数の画素部分の画像情報である。
【００３３】
プリセット位置登録時は、トリミング領域の画像がメモリ５３に記憶され、モニタ画面５６に表示される。また、上記のような複数のポイントのマーカー５４が認識され、メモリ５３に記憶され、これによりマーカー５４が登録される。図示のように、ｎ個のプリセット位置に応じて、第１番目のメモリ５３から第ｎ番目のメモリ５５までのｎ個のメモリにそれぞれ異なるマーカー５４が登録されてもよい。各メモリのマーカー等は、対応するプリセット位置への復帰動作時に読み出され、画像処理に利用される。
【００３４】
図４はプリセット位置復帰時の動作を示している。登録されたマーカー５４がメモリから読み出される。撮影画像５７、５８が、登録されたマーカー５４と比較され、撮影画像５７、５８からマーカー５４が検出される。そして、マーカー５４の位置が再現されるように、すなわち、マーカー５４の位置が、プリセット位置登録時のトリミング領域内でのマーカー５４の位置と同じになるように、調整したトリミング位置が設定され、設定したトリミング位置から画像が切り出される。
【００３５】
図の例では、撮影画像５７、５８の撮影範囲が、プリセット位置登録時とプリセット位置復帰時でずれており、また、２回のプリセット位置復帰でもずれている。しかし、マーカー５４が好適に利用されるので、トリミング領域がカバーする被写体領域は、モニタ画面５６上ではいつも同じになっている。
【００３６】
なお、本実施の形態の旋回式監視カメラ装置１０は、プリセット位置復帰時に、すべてのトリミング目印情報が撮影画像から検出されなくてもトリミング調整を行うように構成されてもよい。図の例では、トリミング調整部４６は、少なくとも３つのマーカーが検出されれば、それら３つのマーカーを用いてトリミング調整を行うように構成されてもよい。
【００３７】
また、上記の例では、トリミング目印情報が、トリミング領域の４隅と中央の基準点の画像情報であった。基準点は上記の５点に限定されず、より多くてもよく、少なくてもよい。また、基準点の位置が図の例と異なっていてもよい。
【００３８】
また、本発明の範囲内で、トリミング目印情報は、上記のような基準部分の画像情報に限定されず、別のかたちの情報でもよい。例えば、トリミング目印情報は、トリミング領域から抽出される特徴部分の画像情報でもよい。特徴部分は、例えば、画像内の輪郭部分を表す輪郭情報である。特徴部分の画像情報は、トリミング領域内での特徴部分の位置の情報と共にトリミング目印記憶部４４に記憶される。そして、特徴部分の位置が再現されるように、撮影画像からトリミング画像が切り出される。
【００３９】
また、上記の例では示されていないが、撮像部１２がズーム機能を有し、画角を変更可能に構成されてもよい。そして、プリセット位置登録時には画角もプリセットされてもよい。この場合、プリセット位置復帰動作時は、パンチルト機構と共にズーム機構も制御されて、プリセットされた画角が再現される。さらに、トリミング目印情報が再現されるように、トリミングの画角もトリミング位置と共に好適に調整され、これによりズーム機構の誤差が画像上で補正される。
【００４０】
また、上記の例では示されていないが、トリミングの角度も調整されてよい。例えば、プリセット位置復帰時に、撮影画像が少しずつ回転され、各回転位置で、撮影画像とトリミング目印情報が比較される。そして、トリミング目印情報と一致する部分が検出されるときの画像回転角が特定される。特定された画像回転角まで回転した画像を用いて、上述のようにトリミング位置が決定され、トリミングが行われる。このようにして、トリミング位置とともにトリミングの角度も好適に調整され、より高精度なプリセット撮影が可能になる。
【００４１】
図５は、プリセット位置登録時の動作を示すフローチャートである。プリセット位置登録の指示が受け付けられると（Ｓ１０）、撮像部１２の位置が検出される（Ｓ１２）。検出された位置は、プリセット位置として、プリセット位置登録部３０によりプリセット位置記憶部３２に登録される（Ｓ１４）。さらに、撮影画像からトリミング目印情報が抽出される（Ｓ１６）。トリミング目印情報は、トリミング目印登録部４２によりトリミング目印記憶部４４に登録される（Ｓ１８）。そして、切出部１４がトリミング領域の画像を切り出し（Ｓ２０）、切り出された画像が出力部１６により出力される（Ｓ２２）。
【００４２】
図６は、プリセット位置復帰時の動作を示すフローチャートである。プリセット位置復帰の指示が受け付けられると（Ｓ３０）、プリセット位置復帰制御部３４が、プリセット位置記憶部３２からプリセット位置を読み出し（Ｓ３２）、撮像部１２をプリセット位置へと移動させる（Ｓ３４）。そして、プリセット位置での撮影画像が取得される（Ｓ３６）。トリミング調整部４６は、トリミング目印記憶部４４からトリミング目印情報を読み出し（Ｓ３８）、撮影画像とトリミング目印情報を比較する（Ｓ４０）。ここでは、画像処理により、トリミング目印情報に対応する部分が撮影画像から検出される。そして、トリミング調整部４６は、部分的画像情報であるトリミング目印情報が再現されるようにトリミング位置を決定する（Ｓ４２）。決定されたトリミング位置から画像が切り出され（Ｓ４４）、切り出された画像がプリセット画像として出力される（Ｓ４６）。
【００４３】
以上に説明したように、本発明の実施の形態の旋回式監視カメラ装置１０によれば、プリセット位置登録時にトリミング領域を表すトリミング目印情報がトリミング目印登録部４２により登録される。そして、プリセット位置復帰時には、トリミング調整部４６が、トリミング目印情報が再現されるようにトリミング領域を調整し、この調整された領域画像がプリセット位置のプリセット画像として出力される。これにより、撮影画像の撮影範囲がずれても、プリセット画像がカバーする被写体範囲は高い精度で同じになり、結果的に移動機構の位置ずれの補正効果が得られており、移動メカニズム側の精度が画像処理的に補われる。これにより、移動機構の精度が低くても、正確なプリセット撮影ができる。
【００４４】
また、本実施の形態の旋回式カメラ装置１０では、トリミング目印登録部４２が、撮影画像中のトリミング領域内の所定の基準部分の情報を抽出し、抽出した基準部分の情報をトリミング目印情報としてトリミング目印記憶部４４に記憶させており、この構成により、適当なトリミング目印情報を使用して、正確なプリセット撮影ができる。
【００４５】
また、本実施の形態の旋回式カメラ装置１０では、トリミング目印登録部４２が、基準部分の情報として、トリミング領域の隅部の画像情報を抽出しており、この構成により、適当なトリミング目印情報を使用して、正確なプリセット撮影ができる。
【００４６】
また、本実施の形態の旋回式監視カメラ装置１０では、トリミング目印登録部４２が、トリミング領域内の特徴部分を抽出し、抽出した特徴部分の情報をトリミング目印情報としてトリミング目印記憶部４４に記憶させており、この構成により、適当なトリミング目印情報を使用して、正確なプリセット撮影ができる。
【００４７】
また、本実施の形態の旋回式監視カメラ装置１０では、トリミング目印登録部４２が、特徴部分の情報として、画像内の輪郭情報を抽出しており、この構成により、適当なトリミング目印情報を使用して、正確なプリセット撮影ができる。
【００４８】
その他、旋回式監視カメラ１０がポールの先端または道路脇等の場所に設置されるとき、旋回式監視カメラ１０も揺れ、画像も揺れてしまう。本実施の形態で説明したプリセット画像処理部４０の機能は、このようなカメラ揺れに伴う画面揺れをキャンセルするためにも利用できる。この場合、トリミング目印情報に対応する目印情報が登録される。この目印情報は、画面揺れキャンセル用の情報であり、上述のように、基準位置の情報でもよく、特徴部分の画像でもよい。目印情報の位置が再現されるように、各フレームの撮影画像からのトリミング領域が調整される。この処理は、画像処理等によって画面の揺れが検出されたときに行われてもよい。
【００４９】
また、照度不足状態（例えば暗闇の中）などでは、トリミング目印情報が画面上で判別できないことがある。このような場合は、上記のプリセットに関する画像処理による補正機能が自動的にキャンセルされてもよい。これにより、誤動作等を防ぐことができる。また、この場合、好ましくは、モニタの監視映像上に、本実施の形態の補正機能がキャンセル状態にあることが表示されてもよい。
【００５０】
また、図１に示した旋回型監視カメラ装置１０の構成は、適当に分散配置されてもよい。典型的には、モニタおよび遠隔操作用のコンピュータがカメラから遠くに配置され、通信可能に接続される。プリセット位置登録およびプリセット位置復帰のユーザ操作は、遠隔操作用のコンピュータで受け付けられてもよい。また、モニタ１８と共に、画像記録装置が備えられ、出力画像が好適に記録される。
【００５１】
以上に本発明の好適な実施の形態を説明した。しかし、本発明は上述の実施の形態に限定されず、当業者が本発明の範囲内で上述の実施の形態を変形可能なことはもちろんである。
【産業上の利用可能性】
【００５２】
以上のように、本発明に係る移動機構付き撮像装置は、移動機構の精度が低くても、正確なプリセット撮影ができるという効果を有し、監視カメラ装置等として有用である。
【図面の簡単な説明】
【００５３】
【図１】本発明の実施の形態における旋回式監視カメラ装置の機能ブロック図
【図２】本発明の実施の形態における旋回式監視カメラの動作を示す図
【図３】本発明の実施の形態における旋回式監視カメラの動作を示す図
【図４】本発明の実施の形態における旋回式監視カメラの動作を示す図
【図５】プリセット位置登録時の旋回式監視カメラの動作説明のためのフロー図
【図６】プリセット位置復帰時の旋回式監視カメラの動作説明のためのフロー図
【符号の説明】
【００５４】
１０  旋回式監視カメラ装置
１２  撮像部
１４  切出部
１６  出力部
１８  モニタ
２０  入力装置
２２  移動機構部
２４  パンモータ
２６  チルトモータ
２８  機械的座標制御部
３０  プリセット位置登録部
３２  プリセット位置記憶部
３４  プリセット位置復帰制御部
４０  プリセット画像処理部
４２  トリミング目印登録部
４４  トリミング目印記憶部
４６  トリミング調整部
【図１】
2005303806.tif 000003
【図２】
2005303806.tif 000004
【図３】
2005303806.tif 000005
【図４】
2005303806.tif 000006
【図５】
2005303806.tif 000007
【図６】
2005303806.tif 000008